(57)【特許請求の範囲】
【請求項１】
電力需要者に請求する電力料金を算出する電力料金算出方法であって、
前記電力需要者が所在する地域に供給される電力を管理する電気事業者の装置から、所定期間内に前記地域に供給された電力の推移（以下、負荷パターンと呼ぶ）を入手し、入手した負荷パターンが示す前記所定期間内の各時間帯における供給電力から、前記各時間帯における電力料金単価を決定する決定ステップと、
前記電力需要者の消費電力を計測する電力計測装置から、前記所定期間内の各時間帯における消費電力を入手し、入手した前記各時間帯における消費電力および決定した前記各時間帯における電力料金単価に基づいて、前記電力需要者に請求する前記所定期間の電力料金を算出する算出ステップと、を有すること
を特徴とする電力料金算出方法。
【請求項２】
請求項１記載の電力料金算出方法であって、
前記決定ステップは、
前記電気事業者の装置から入手した負荷パターンが示す供給電力を複数レベルに分類し、各レベルの電力供給累積時間に基づいて各レベルの電力料金単価を決定し、決定した各レベルの電力料金単価および前記負荷パターンが示す前記各時間帯の供給電力が属するレベルに従い、前記各時間帯における電力料金単価を決定すること
を特徴とする電力料金算出方法。
【請求項３】
請求項１または２記載の電力料金算出方法であって、
前記電気事業者の装置から、現在時刻を含む所定期間の開始時刻から任意時刻までに前記地域に供給された電力の推移を入手し、この電力の推移および予め複数登録された典型的な負荷パターンを用いて、前記現在時刻を含む所定期間内において前記地域に供給される電力の推移（推定負荷パターンと呼ぶ）を予測する負荷予測ステップと、
この推定負荷パターンが示す前記現在時刻を含む所定期間内の各時間帯における供給電力から、前記各時間帯における電力料金単価を予測する料金予測ステップと、を更に有すること
を特徴とする電力料金算出方法。
【請求項４】
電力需要者に請求する電力料金を算出する電力料金算出システムであって、
前記電力需要者が所在する地域に供給される電力を管理する負荷管理装置と、前記電力需要者の消費電力を計測する電力計測装置と、前記負荷管理装置および前記電力計測装置に接続された電力料金算出装置と、を有し、
前記負荷管理装置は、所定期間内に前記地域に供給された電力の推移（以下、負荷パターンと呼ぶ）を保持し、
前記電力計測装置は、前記所定期間内に前記電力需要者が消費した消費電力の推移を保持し、
前記電力料金算出装置は、
前記負荷管理装置から負荷パターンを入手し、入手した負荷パターンが示す前記所定期間内の各時間帯における供給電力から、前記各時間帯における電力料金単価を決定する決定手段と、
前記電力計測装置から消費電力の推移を入手し、入手した消費電力の推移が示す前記所定期間内の各時間帯における消費電力および前記決定手段が決定した前記各時間帯における電力料金単価に基づいて、前記電力需要者に請求する前記所定期間の電力料金を算出する算出手段と、を有すること
を特徴とする電力料金算出システム。
【請求項５】
請求項４記載の電力料金算出システムであって、
前記負荷管理装置に接続された電力料金単価推定装置を更に有し、
前記負荷管理装置は、
現在時刻を含む所定期間の開始時刻から任意時刻までに前記地域に供給された電力の推移を保持し、
前記電力料金単価推定装置は、
前記負荷管理装置から、現在時刻を含む所定期間の開始時刻から任意時刻までに前記地域に供給された電力の推移を入手し、この電力の推移および予め複数登録された典型的な負荷パターンを用いて、前記現在時刻を含む所定期間内において前記地域に供給される電力の推移（推定負荷パターンと呼ぶ）を予測する負荷予測手段と、
前記負荷予測手段で予測した推定負荷パターンが示す前記現在時刻を含む所定期間内の各時間帯における供給電力から、前記各時間帯における電力料金単価を予測する料金予測手段と、を有すること
を特徴とする電力料金算出システム。
【請求項６】
電力需要者に請求する電力料金を算出するための、コンピュータで読み取り可能なプログラムであって、
前記プログラムは、前記コンピュータに読み取られて実行されることにより、
前記電力需要者が所在する地域に供給される電力を管理する負荷管理装置から、所定期間内に前記地域に供給された電力の推移（以下、負荷パターンと呼ぶ）を入手し、入手した負荷パターンが示す前記所定期間内の各時間帯における供給電力から、前記各時間帯における電力料金単価を決定する決定ステップと、
前記電力需要者の消費電力を計測する電力計測装置から、前記所定期間内の各時間帯における消費電力を入手し、入手した前記各時間帯における消費電力および決定した前記各時間帯における電力料金単価に基づいて、前記電力需要者に請求する前記所定期間の電力料金を算出する算出ステップと、を前記コンピュータに行なわせること
を特徴とするコンピュータで読取可能なプログラム。
【請求項７】
電力料金単価を予測するための、コンピュータで読み取り可能なプログラムであって、
前記プログラムは、前記コンピュータに読み取られて実行されることにより、
前記電力需要者が所在する地域に供給される電力を管理する負荷管理装置から、現在時刻を含む所定期間の開始時刻から任意時刻までに前記地域に供給された電力の推移を入手し、この電力の推移および予め複数登録された典型的な負荷パターンを用いて、前記現在時刻を含む所定時間内において前記地域に供給される電力の推移（推定負荷パターンと呼ぶ）を予測する負荷予測ステップと、
この推定負荷パターンが示す前記現在時刻を含む所定期間内の各時間帯における供給電力から、前記各時間帯における電力料金単価を予測する料金予測ステップと、を前記コンピュータに行なわせること
を特徴とするコンピュータで読取可能なプログラム。
【発明の詳細な説明】
【０００１】
【発明の属する技術分野】
本発明は、電力料金や電力料金単価の算出技術に関する。
【０００２】
【従来の技術】
電気エネルギーを貯蔵する技術は、今のところ確立していない。したがって、電気事業者は、電力需要のピーク時に十分な電力を管轄地域に供給できるようにするために、発電設備（自前の発電設備のみならず、管轄地域の電力小売業者の発電設備も含む）を確保している。従来は、このような、電力需要の平常時に利用されない設備（待機設備と呼ぶ）を維持するためのコストを、電気料金単価に一律に反映させていた。
【０００３】
【発明が解決しようとする課題】
さて、発電設備の運用の効率化を図るためには、電力需要の平常時とピーク時との差分を減らして平準化することにより、待機設備を減らす必要がある。しかし、従来は、上述したように、待機設備の維持コストを電気料金単価に一律に反映させており、電力料金単価の決定に際し、発電設備の運用の効率化の観点からの配慮がなされていない。
【０００４】
本発明は、上記事情に鑑みてなされたものであり、本発明の目的は、電力需要の平準化が期待できるように、電力料金や電力料金単価を算出することにある。
【０００５】
【課題を解決するための手段】
上記課題を解決するために、本発明では、電力需要者が所在する地域に供給される電力を管理する電気事業者の装置、および、前記電力需要者の消費電力を計測する電力計測装置から、必要な情報を入手し、入手した情報を用いて前記電力需要者に請求する電力料金を算出する。
【０００６】
先ず、前記電気事業者の装置から、所定期間内に前記地域に供給された電力の推移（以下、負荷パターンと呼ぶ）を入手し、入手した負荷パターンが示す前記所定期間内の各時間帯における供給電力から、前記各時間帯における電力料金単価を決定する（決定ステップ）。
【０００７】
次に、前記電力計測装置から、前記所定期間内の各時間帯における消費電力を入手し、入手した前記各時間帯における消費電力および決定した前記各時間帯における電力料金単価に基づいて、前記電力需要者に請求する前記所定期間の電力料金を算出する（算出ステップ）。
【０００８】
ここで、前記決定ステップは、例えば、前記電気事業者の装置から入手した負荷パターンが示す供給電力を複数レベル（例えばピークレベル、ミドルレベル、ベースレベルの３レベル）に分類し、各レベルの電力供給累積時間に基づいて各レベルの電力料金単価を決定する。そして、決定した各レベルの電力料金単価および前記負荷パターンが示す前記各時間帯の供給電力が属するレベルに従い、前記各時間帯における電力料金単価を決定する。
【０００９】
本発明によれば、前記の構成により、電力料金単価を、電力需要のピーク時には高く、平常時には安く決定することができる。このようにすることで、電力需要者は、電力料金単価が高いピーク時を避けて電力を消費しようとするため、電気事業者の管轄地域における電力需要の平準化が期待できる。これにより、発電設備の運用の効率化を図ることができる。
【００１０】
なお、本発明において、前記電気事業者の装置から、現在時刻を含む開始時刻から任意時刻までに前記地域に供給された電力の推移を入手し、この電力の推移および予め複数登録された典型的な負荷パターンを用いて、前記現在時刻を含む所定時間内において前記地域に供給される電力の推移（推定負荷パターンと呼ぶ）を予測してもよい（負荷予測ステップ）。そして、この推定負荷パターンが示す前記現在時刻を含む所定期間内の各時間帯における供給電力から、前記各時間帯における電力料金単価を予測してもよい（料金予測ステップ）。
【００１１】
この電力料金単価の予測結果を電力需要者に通知することで、電力需要者は、電力料金単価が高いピーク時をリアルタイムで知ることができるため、電力需要の更なる平準化を期待できる。
【００１２】
【発明の実施の形態】
以下に、本発明の実施の形態について説明する。
【００１３】
先ず、本発明の第１実施形態について説明する。
【００１４】
図１は、本発明の第１実施形態が適用された電力料金算出システムの概略図である。
【００１５】
図１において、負荷管理装置１は、例えば電気事業者Ａの関連設備等に設置される装置であり、所定期間（例えば１日）毎に、電気事業者Ａの管轄地域に供給された電力の推移（負荷パターン）を保持している。そして、この保持している負荷パターンの情報を、ネットワーク４を介して通信相手に提供する。
【００１６】
電力計測装置２は、電気事業者Ａの管轄地域にある電力需要者Ｂの宅内等に設置される装置であり、この電力需要者Ｂの宅での消費電力を計測する。そして、所定期間（例えば１日）における消費電力の推移を、ネットワーク５を介して通信相手に提供する。
【００１７】
そして、電力料金算出装置３は、例えば電気事業者Ａの管轄地域において、電力需要者Ｂに対して電力の小売を行なう電力小売業者Ｃの関連設備等に設置される装置であり、ネットワーク４を介して負荷管理装置１より電気事業者Ａの管轄地域における負荷パターンの情報を入手すると共に、ネットワーク５を介して電力計測装置２より電力需要者Ｂの消費電力の推移を入手する。そして、入手した負荷パターンおよび消費電力の推移を用いて、電力需要者Ｂに請求する電力料金を算出する。
【００１８】
次に、上記の電力料金算出システムを構成する各装置について説明する。
【００１９】
先ず、負荷管理装置１について説明する。
【００２０】
図２は、負荷管理装置１の概略図である。
【００２１】
図２において、ネットワークＩＦ（インターフェース）部１０１は、ネットワーク４を介して電力料金計算装置３と通信を行なう。
【００２２】
負荷データ入力部１０２は、操作者あるいは外部装置から、電気事業者Ａの管轄地域に対する供給電力の情報（供給電力の電力量や供給日時の情報、以下、負荷データと呼ぶ）の入力を受け付ける。
【００２３】
負荷パターン格納部１０４には、所定期間（本実施形態では１日）毎に、電気事業者Ａの管轄地域に供給された電力の推移を表す負荷パターンが登録される。
【００２４】
図３に、負荷パターン格納部１０４の登録内容例を示す。この例において、各レコード１０４１には、該当日付１０４３における１日の負荷パターンが登録される。各レコード１０４１は、複数のフィールド１０４２で構成され、各フィールド１０４２には、該当時刻１０４４での電力量が登録される。なお、この例では、２００２年３月２１日のレコード１０４１は、本日のレコードであり、このため、任意時刻（ここでは３時）のフィールド１０４２までしか電力量が登録されていない。
【００２５】
負荷パターン管理部１０３は、負荷データ入力部１０２を介して受け付けた負荷データにより特定される電力量を、負荷パターン格納部１０４内の、当該負荷データにより特定される日付を持つレコード１０４１の当該負荷データにより特定される時刻のフィールド１０４２に登録する。また、ネットワークＩＦ部１０１を介して受け付けた電力料金計算装置３よりの指示に従い、負荷パターン格納部１０４から負荷パターンのレコード１０４１を読み出して、電力料金計算装置３に送信する。
【００２６】
上記構成の負荷管理装置１は、図１１に示すような、ＣＰＵ９０１と、メモリ９０２と、ＨＤＤ等の外部記憶装置９０３と、ＣＤ-ＲＯＭやＤＶＤ-ＲＯＭ等の可搬性を有する記憶媒体９０４から情報を読み出す読取装置９０５と、キーボードやマウスなどの入力装置９０６と、ディスプレイなどの出力装置９０７と、ネットワークを介して相手装置と通信を行なうための通信装置９０８と、を備えた一般的なコンピュータシステムにおいて、ＣＰＵ９０１がメモリ９０２上にロードされた所定のプログラムを実行することにより実現することができる。この所定のプログラムは、読取装置９０５を介して記憶媒体９０４から、あるいは、通信装置８０８を介してネットワークから、外部記憶装置９０３にダウンロードされ、それから、メモリ９０２上にロードされてＣＰＵ９０１により実行されるようにしてもよい。また、読取装置９０５を介して記憶媒体９０４から、あるいは、通信装置９０８を介してネットワークから、メモリ９０２上に直接ロードされ、ＣＰＵ９０１により実行されるようにしてもよい。この場合、負荷パターン格納部１０４には、メモリ９０２や外部記憶装置９０３等が利用される。
【００２７】
次に、電力計測装置２について説明する。
【００２８】
図４は、電力計測装置２の概略図である。
【００２９】
図４において、ネットワークＩＦ部２０１は、ネットワーク５を介して電力料金計算装置３と通信を行なう。
【００３０】
電力計２０２は、電気事業者Ａの管轄地域にある電力需要者Ｂの宅への電力線に設置される。そして、電力需要者Ｂの消費電力を計測する。
【００３１】
消費電力格納部２０４には、所定期間（本実施形態では１日）毎に、電力需要者Ｂの消費電力の推移が登録される。
【００３２】
図５に、消費電力格納部２０４の登録内容例を示す。この例において、各レコード２０４１には、該当日付２０４３における１日の消費電力の推移が登録される。各レコード２０４１は、複数のフィールド２０４２で構成され、各フィールド２０４２には、該当時刻２０４４での電力量が登録される。
【００３３】
消費電力管理部２０３は、電力計２０２が計測した消費電力を、消費電力格納部２０４内の、該当日付（計測日）を持つレコード２０４１の該当時刻（計測時刻）のフィールド２０４２に登録する。また、ネットワークＩＦ部２０１を介して受け付けた電力料金計算装置３よりの指示に従い、消費電力格納部２０４から消費電力の推移を表すレコード２０４１を読み出して、電力料金計算装置３に送信する。
【００３４】
上記構成の電力計測装置２は、図１１に示すようなコンピュータシステムに、電力計２０２を接続すると共に、このシステムにおいて、負荷管理装置１の場合と同様、ＣＰＵ９０１がメモリ９０２上にロードされた所定のプログラムを実行することにより実現できる。
【００３５】
次に、電力料金計算装置３について説明する。
【００３６】
図６は、電力料金計算装置３の概略図である。
【００３７】
図６において、ネットワークＩＦ部３０１は、ネットワーク４を介して負荷管理装置１と通信を行なう。また、ネットワークＩＦ部３０２は、ネットワーク５を介して電力計測装置２と通信を行なう。
【００３８】
ユーザＩＦ部３０７は、ユーザより電力料金や電力料金単価の算出指示を受け付けたり、算出した電力料金や電力料金単価をユーザに提示したりする。
【００３９】
電力料金単価決定部３０３は、ユーザＩＦ３０７を介してユーザより受け付けた指示に従い、ネットワークＩＦ部３０１を介して負荷管理装置１より入手した指定日の負荷パターンと、レベル別料金単価格納部３０４に登録されているレベル別料金単価テーブルとを用いて、指定日の各時間帯の電力料金単価を作成し、時間帯別料金単価格納部３０５に格納する。
【００４０】
図７に、レベル別料金単価格納部３０４の登録内容例を示す。負荷パターンが示す電力量を複数レベル３０４１に分類し、各レベル３０４１について、負荷パターンによって特定される、該当レベルの電力量の供給時間（累積時間）３０４２に応じて、電力料金単価３０４３を定めている。この例では、複数レベル３０４１として、負荷パターンが示す最大電力量（ＭＡＸ）の９０％以上のピークレベル、負荷パターンが示す最大電力量の９０％未満７０％以上のミドルレベル、および、負荷パターンが示す最大電力量の７０％未満のベースレベルの３つのレベルに分類している。そして、レベル別の電力料金単価を、ピークレベルを高く、そして、ベースレベルを低くしている。
【００４１】
例えば、電力料金単価決定部３０３は、負荷管理装置１より入手した指定日の負荷パターンが示す各正時の電力量をプロットすることにより、図８に示すような、時間帯毎の電力量を表すデータを作成する。それから、作成したデータが表す時間帯毎の電力量を、図７に示すレベル別料金単価格納部３０４の登録内容に従って、ピークレベル、ミドルレベルおよびベースレベルに分類し、各レベルの累積時間を求める。そして、各レベルの累積時間に従って各レベルの電力料金単価を決定する。図７および図８に示す例では、トップレベルは累積時間が２時間なので２５円/ｋＷＨ、ミドルレベルは累積時間が７時間なので１５円/ｋＷＨ、そして、ベースレベルは累積時間が１５時間なので１０円/ｋＷＨとなる。  次に、電力料金単価決定部３０３は、指定日の各時間帯の電力料金単価を、当該時間帯の電力量が属するレベルに対して決定された電力料金単価に設定する。図７および図８に示す例では、０時〜１０時および１９時〜２３時は、電力量がベースレベルに属する。したがって、この時間帯の電力料金単価は１０円/ｋＷＨとなる。また、１０時〜１４時および１６時〜１９時は、電力量がミドルレベルに属する。したがって、この時間帯の電力料金単価は１５円/ｋＷＨとなる。そして、１４時〜１６時は、電力量がトップレベルに属する。したがって、この時間帯の電力料金単価は２５円/ｋＷＨとなる。
【００４２】
次に、電力料金単価決定部３０３は、以上のようにして作成した指定日の各時間帯の電力料金単価を時間帯別料金単価格納部３０５に格納する。
【００４３】
図９に、時間帯別料金単価格納部３０５の登録内容例を示す。この例において、各レコード３０５１には、指定日３０５３における各時間帯の電力料金単価が登録される。各レコード３０５１は、複数のフィールド３０５２で構成され、各フィールド３０５２には、該当時間帯３０５４での電力料金単価が登録される。
【００４４】
さて、図６に戻って説明を続ける。請求料金計算部３０８は、ユーザＩＦ３０７を介してユーザより受け付けた指示に従い、ネットワークＩＦ部３０２を介して電力計測装置２より入手した指定日の消費電力の推移と、時間帯別料金単価格納部３０５に格納されている指定日の各時間帯の電力料金単価とを用いて、電力需要者Ｂの指定日における消費電力に対して請求する請求料金を算出する。そして、算出した請求料金を請求料金格納部３０６に格納する。
【００４５】
図１０に、請求料金格納部３０６の登録内容例を示す。この例において、各レコード３０６１は、フィールド３０６３および複数のフィールド３０６２で構成される。各フィールド３０６２には、該当時間帯３０６５での使用電力量、適用料金単価および請求料金が登録される。また、フィールド３０６３には、該当日３０６４における１日の使用電力量および請求料金が登録される。
【００４６】
また、請求料金計算部３０８は、ユーザＩＦ３０７を介してユーザより受け付けた指示に従い、請求料金格納部３０６からレコード３０６１を読み出して、出力する。
【００４７】
上記構成の電力料金計算装置３は、図１１に示すようなコンピュータシステムにおいて、負荷管理装置１の場合と同様に、ＣＰＵ９０１がメモリ９０２上にロードされた所定のプログラムを実行することにより実現することができる。
【００４８】
次に、上記構成の電力料金算出システムの動作について説明する。
【００４９】
図１２は、本発明の第１実施形態が適用された電力料金算出システムの動作を説明するための図である。
【００５０】
上述したように、負荷管理装置１において、負荷パターン管理部１０３は、負荷データ入力部１０２に入力された負荷データに従って負荷パターン格納部１０４を更新する。これにより、電気事業者Ａが管轄地域に供給した負荷の一日の推移を表す負荷パターンを、過去所定日数（例えば１月以上）分管理する（ＳＴ１００１）。また、電力計測装置２において、消費電力管理部２０３は、電力計２０２で計測した電力需要者Ｂの消費電力に従って消費電力格納部２０４を更新する。これにより、電力需要者Ｂが消費した消費電力の一日の推移を、過去所定日数（例えば１月以上）分管理する（ＳＴ１００２）。
【００５１】
さて、電力料金計算装置３において、電力料金単価決定部３０３は、ユーザＩＦ部３０７を介してユーザ（電力小売業者Ｃ）より、日の指定を含む単価決定指示を受け付けると（ＳＴ１００３）、指示日を含む負荷パターン入手依頼を作成し、これをネットワークＩＦ部３０１を介して負荷管理装置１へ送信する（ＳＴ１００４）。
【００５２】
負荷管理装置１において、負荷パターン管理部１０３は、ネットワークＩＦ部１０１を介して、電力料金計算装置３より負荷パターン入手依頼を受け取ると、この依頼に含まれている指定日の負荷パターンを負荷パターン格納部１０４から読み出す（ＳＴ１００５）。そして、読み出した負荷パターンを、ネットワークＩＦ部１０１を介して電力料金計算装置３へ送信する（ＳＴ１００６）。
【００５３】
電力料金計算装置３において、電力料金単価決定部３０３は、ネットワークＩＦ部３０１を介して負荷管理装置１より負荷パターンを受け取ると、これと、レベル別料金単価格納部３０４に登録されているレベル別料金単価テーブルとを用いて、上述の要領により、この負荷パターンの指定日における時間帯別の電力料金単価を決定する。そして、指定日における時間帯別の電力料金単価を時間帯別料金単価格納部３０５に格納する（ＳＴ１００７）。
【００５４】
また、電力料金計算装置３において、請求料金計算部３０８は、ユーザＩＦ部３０７を介してユーザ（電力小売業者Ｃ）より、日の指定を含む請求料金計算指示を受け付けると（ＳＴ１００８）、指示日を含む消費電力入手依頼を作成し、これをネットワークＩＦ部３０２を介して電力計測装置２へ送信する（ＳＴ１００９）。
【００５５】
電力計測装置２において、消費電力管理部２０３は、ネットワークＩＦ部２０１を介して、電力料金計算装置３より消費電力入手依頼を受け取ると、この依頼に含まれている指定日の消費電力の推移を消費電力格納部２０４から読み出す（ＳＴ１０１０）。そして、読み出した消費電力推移を、ネットワークＩＦ部２０１を介して電力料金計算装置３へ送信する（ＳＴ１０１１）。
【００５６】
電力料金計算装置３において、請求料金計算部３０８は、ネットワークＩＦ部３０２を介して電力計測装置２より指定日の消費電力推移を受け取ると、これと、時間帯別料金単価格納部３０５に登録されている指定日の時間帯別の料金単価とを用いて、上述の要領により、この指定日における時間帯別の請求料金を計算する。そして、指定日における時間帯別の請求料金を、請求料金格納部３０６に格納する（ＳＴ１０１２）。なお、請求料金格納部３０６に格納されている日毎の時間帯別の請求料金や時間帯別料金単価格納部３０５に登録されている日毎の時間帯別の料金単価は、例えばユーザＩＦ部３０２を介して、ユーザに提示することができる。
【００５７】
以上、本発明の第１実施形態について説明した。
【００５８】
本実施形態において、電力料金計算装置３は、負荷管理装置１より入手した負荷パターンに従い、時間帯別の電力料金単価を、電力需要のピーク時には高く、ミドル時には安く決定している。そして、このようにして決定した時間帯別の電力料金単価と、電力計測装置２より入手した消費電力の推移とにより、電力需要者Ｂに対する時間帯別の請求料金を算出している。電力小売業者Ｃがこの時間帯別の請求料金や時間帯別の電力料金単価を電力需要者Ｂに提示することにより、電力需要者Ｂに対して、今後、電力料金単価が高いピーク時を避けて電力を消費しようとすることが期待できる。したがって、電気事業者Ａの管轄地域における電力需要の平準化が期待でき、これにより、発電設備の運用の効率化を図ることができる。
【００５９】
次に、本発明の第２実施形態について説明する。
【００６０】
図１３は、本発明の第２実施形態が適用された電力料金算出システムの概略図である。本実施形態の電力料金算出システムは、図１に示す第１実施形態の電力料金算出システムにおいて、電力需要者Ｂの宅に、電力料金単価推定装置６が設置された構成を有している。その他の構成は、第１実施形態の電力料金算出システムと同様である。ここで、電力料金単価推定装置６は、時間帯別の電力料金単価を推定し、その結果をユーザ（電力需要者Ｂ）に提示する。
【００６１】
図１４は、電力料金単価推定装置６の概略図である。
【００６２】
図１４において、ネットワークＩＦ部６０１は、ネットワーク４を介して負荷管理装置１と通信を行なう。
【００６３】
ユーザＩＦ部６０２は、ユーザより電力料金単価の推定指示を受け付ける。また、推定した電力料金単価をユーザに提示する。
【００６４】
レベル別料金単価格納部６０４は、図６に示す電力料金計算装置３のレベル別料金単価格納部３０４と同じレベル別料金単価テーブルが格納されている。
【００６５】
負荷パターン雛型モデル格納部６０５には、電気事業者Ａが管轄地域に供給する負荷の一日の推移を表す典型的な負荷パターンである負荷パターン雛型モデルが複数登録されている。例えば、過去の負荷パターンを、トップレベル、ミドルレベルおよびベースレベル各々の累積時間（図７参照）に応じて複数の類型に分類し、類型毎に負荷パターンの平均を求める。そして、各類型の負荷パターンの平均が負荷パターン雛型モデルに設定される。
【００６６】
電力料金単価推定部６０３は、ユーザＩＦ３０７を介してユーザより受け付けた指示に従い、ネットワークＩＦ部３０１を介して負荷管理装置１より入手した本日の任意時刻までの電力推移と、負荷パターン雛型モデル格納部６０５に格納されている負荷パターン雛型モデルとを用いて、本日の負荷パターンを推定する。以下、推定した負荷パターンを推定負荷パターンと呼ぶ。
【００６７】
例えば、図１５において、実線で示した複数の負荷パターン雛型モデル９１と、点線で示した本日の任意時刻までの電力推移９２とを比較して、任意時刻までの電力推移部分が本日の任意時刻までの電力推移９２と最も整合する負荷パターン雛型モデル９１を特定する。例えば、任意時刻までの各正時における点線と実線との差分のバラツキが最も少ない実線が示す負荷パターン雛型モデル９１を、本日の任意時刻までの電力推移９２と最も整合する負荷パターン雛型モデル９１とする。そして、特定した負荷パターン雛型モデル９１を、前記差分の平均値だけシフトさせることで、推定負荷パターンを求める。
【００６８】
それから、電力料金単価推定部６０３は、推定負荷パターンと、レベル別料金単価格納部６０４に格納されているレベル別料金単価テーブルとを用いて、図６に示す電力料金計算装置３の電力料金単価決定部３０３と同じ要領で、本日の時間帯別の電力料金単価を推定する。そして、これを時間帯別推定料金格納部６０６に格納すると共に、ユーザＩＦ部６０２を介してユーザ（電力需要者Ｂ）に提示する。
【００６９】
上記構成の電力料金単価推定装置６は、図１１に示すようなコンピュータシステムにおいて、図２に示す負荷管理装置１の場合と同様に、ＣＰＵ９０１がメモリ９０２上にロードされた所定のプログラムを実行することにより実現できる。
【００７０】
次に、上記構成の電力料金算出システムにおいて、本日の時間帯別の電力料金単価を推定する場合の動作について説明する。なお、請求料金を計算する場合の動作は、図１２を用いて説明した第１実施形態の動作と同じである。
【００７１】
図１６は、本発明の第２実施形態が適用された電力料金算出システムにおいて、本日の時間帯別の電力料金単価を推定する場合の動作を説明するための図である。
【００７２】
上述したように、負荷管理装置１において、負荷パターン管理部１０３は、負荷データ入力部１０２に入力された負荷データに従って負荷パターン格納部１０４を更新する。これにより、電気事業者Ａが管轄地域に供給した負荷の一日の推移を表す負荷パターンを過去所定日数（例えば１月以上）分管理すると共に、電気事業者Ａが管轄地域に本日供給した任意時刻までの負荷の推移を管理する（ＳＴ１００１）。
【００７３】
さて、電力料金単価推定装置６において、電力料金単価推定部６０３は、ユーザＩＦ部６０２を介してユーザ（電力需要者Ｂ）より、単価推定指示を受け付けると（ＳＴ２００１）、負荷推移入手依頼を作成し、これをネットワークＩＦ部６０１を介して負荷管理装置１へ送信する（ＳＴ２００２）。
【００７４】
負荷管理装置１において、負荷パターン管理部１０３は、ネットワークＩＦ部１０１を介して、電力料金単価推定装置６より負荷推移入手依頼を受け取ると、負荷パターン格納部１０４から、本日の日付１０４３を持つレコード１０４１を読み出す（ＳＴ２００３）。そして、読み出したレコード１０４１により特定される任意時刻（フィールド１０４２に電力量が登録されている最新時刻）までの負荷の推移を、ネットワークＩＦ部１０１を介して電力料金単価推定装置６へ送信する（ＳＴ２００４）。
【００７５】
電力料金単価推定装置６において、電力料金単価推定部６０３は、ネットワークＩＦ部６０１を介して負荷管理装置１より本日の任意時刻までの負荷の推移を受け取ると、これと、負荷パターン雛型モデル格納部６０５に格納されている負荷パターン雛型モデルとを用いて、上述の要領により、推定負荷パターンを求める（ＳＴ２００５）。それから、推定負荷パターンと、レベル別料金単価格納部６０４に格納されているレベル別料金単価テーブルとを用いて、上述の要領により、本日の時間帯別の電力料金単価を推定し、これを時間帯別推定料金格納部６０６に格納する（ＳＴ２００６）。なお、この時間帯別推定料金単価格納部６０６に登録されている本日の時間帯別の推定料金単価は、例えばユーザＩＦ部６０２を介して、ユーザに提示することができる。
【００７６】
以上、本発明の第２実施形態について説明した。
【００７７】
本実施形態において、電力料金単価推定装置６は、負荷管理装置１より入手した本日の任意時刻までの負荷推移に基づいて、推定負荷パターンを求め、このパターンに従って本日の時間帯別の電力料金単価を推定している。このようにして推定した本日の時間帯別の電力料金単価の電力需要者Ｂに通知することで、電力需要者Ｂは、電力料金単価が高いピーク時をリアルタイムで知ることができるため、この時間帯に電力を使用を控えることが期待でき、したがって、電気事業者Ａの管轄地域全体としての電力需要の更なる平準化を期待できる。
【００７８】
なお、本発明は上記の実施形態に限定されるものではなく、その要旨の範囲内で数々の変形が可能である。
【００７９】
例えば、上記の各実施形態において、電力料金算出システムを構成する各装置は、図１１に示すようなコンピュータシステム上にソフトウエア的に実現されるものに限定されない。例えば、ＡＳＩＣ（Application Specific Integrated Circuits）、ＦＰＧＡ（Field Programmable Gate Array）等の集積ロジックＩＣによりハード的に実現されるものでもよいし、あるいは、ＤＳＰ（Digital Signal Processor）によりソフトウエア的に実現されるものでもよい。
【００８０】
また、上記の各実施形態では、電力料金計算装置３および電力計測装置２間の接続に、電力料金計算装置３および負荷管理装置１間の接続に用いたネットワーク４とは別のネットワーク５を用いているが、同じネットワークを用いて電力料金算出システムを構成する各装置を接続するようにしてもかまわない。
【００８１】
なお、上記の各実施形態において、電気事業者Ａが電力需要者Ｂに対して電力利用料金を請求する場合は、電気事業者Ａが電力料金計算装置３を管理することになる。
【００８２】
【発明の効果】
以上説明したように、本発明によれば、電力需要の平準化が期待できるように、電力料金や電力料金単価を算出できる。
【図面の簡単な説明】
【図１】本発明の第１実施形態が適用された電力料金算出システムの概略図である。
【図２】図１に示す負荷管理装置１の概略図である。
【図３】図２の負荷パターン格納部１０４の登録内容例を示す図である。
【図４】図１に示す電力計測装置２の概略図である。
【図５】図４に示す消費電力格納部２０４の登録内容例を示す図である。
【図６】図１に示す電力料金計算装置３の概略図である。
【図７】図６に示すレベル別料金単価格納部３０４の登録内容例を示す図である。
【図８】図６に示す電力料金単価決定部３０３による時間帯別の料金単価決定処理を説明するための図である。
【図９】図６に示す時間帯別料金単価格納部３０５の登録内容例を示す図である。
【図１０】図６に示す請求料金格納部３０６の登録内容例を示す図である。
【図１１】本発明の各実施形態の電力料金算出システムを構成する各装置のハードウエア構成例を示す図である。
【図１２】本発明の第１実施形態が適用された電力料金算出システムにおいて、請求料金を計算する場合の動作を説明するための図である。
【図１３】本発明の第２実施形態が適用された電力料金算出システムの概略図である。
【図１４】図１３に示す電力料金単価推定装置６の概略図である。
【図１５】図１４に示す電力料金単価推定部６０３による本日の負荷パターンに推定処理を説明するための図である。
【図１６】本発明の第１実施形態が適用された電力料金算出システムにおいて、本日の電力料金単価を推定する場合の動作を説明するための図である。
【符号の説明】
１…負荷管理装置、２…電力計測装置、３…電力料金計算装置、４…ネットワーク、５…ネットワーク、６…電力料金単価推定装置、１０１…ネットワークＩＦ部、１０２…負荷データ入力部、１０３…負荷パターン管理部、１０４…負荷パターン格納部、２０１…ネットワークＩＦ部、２０２…電力計、２０３…消費電力管理部、２０４…消費電力格納部、３０１…ネットワークＩＦ部、３０２……ネットワークＩＦ部、３０３…電力料金単価決定部、３０４…レベル別料金単価格納部、３０５…時間帯別料金単価格納部、３０６…請求料金格納部、３０７…ユーザＩＦ部、３０８…請求料金計算部、６０１…ネットワークＩＦ部、６０２…ユーザＩＦ部、６０３…電力料金単価推定部、６０４…レベル別料金単価格納部、６０５…負荷パターン雛型モデル格納部、６０６…時間帯別推定料金単価格納部
【図１】
0004152666.tif 000002
【図２】
0004152666.tif 000003
【図３】
0004152666.tif 000004
【図４】
0004152666.tif 000005
【図５】
0004152666.tif 000006
【図６】
0004152666.tif 000007
【図７】
0004152666.tif 000008
【図８】
0004152666.tif 000009
【図９】
0004152666.tif 000010
【図１０】
0004152666.tif 000011
【図１１】
0004152666.tif 000012
【図１２】
0004152666.tif 000013
【図１３】
0004152666.tif 000014
【図１４】
0004152666.tif 000015
【図１５】
0004152666.tif 000016
【図１６】
0004152666.tif 000017